(57)【特許請求の範囲】
【請求項１】
接続されているスピーカに流れる電流の高調波歪みを測定する測定手段と、
前記測定された高調波歪みの周波数特性から共振音が発生する周波数帯を検出する周波数帯検出手段と、
を備えたことを特徴とする音響装置。
【請求項２】
前記スピーカにより再生される再生信号のうち前記周波数帯検出手段により検出された周波数帯成分を減衰させる減衰手段を
更に備えたことを特徴とする請求項１に記載の音響装置。
【請求項３】
前記減衰手段が、前記周波数帯検出手段により検出された周波数帯成分を除去する帯域除去フィルタから構成されている
ことを特徴とする請求項２に記載の音響装置。
【請求項４】
前記スピーカにより再生される再生信号のうち前記周波数帯検出手段により検出された周波数帯成分を表示させる表示手段を
更に備えたことを特徴とする請求項１に記載の音響装置。
【請求項５】
前記共振音は、前記スピーカが取り付けられる構造物が共振して発生する
ことを特徴とする請求項１〜４何れか１項に記載の音響装置。
【請求項６】
前記測定手段が、前記スピーカのアドミタンスを測定し、
前記周波数帯検出手段が、前記測定されたアドミタンス及び前記高調波歪みの双方の周波数特性から前記共振音が発生する周波数帯を検出する
ことを特徴とする請求項１〜５何れか１項に記載の音響装置。
【請求項７】
測定用抵抗と、
前記測定用抵抗を前記スピーカに直列接続させた状態と前記スピーカに直列接続させない状態との間で切り替える切替手段と、を備え、
前記測定手段が、前記切替手段により前記測定用抵抗が前記スピーカに直列接続されているときに、当該測定用抵抗に流れる電流に基づいて前記測定を行う
ことを特徴とする請求項１〜６何れか１項に記載の音響装置。
【請求項８】
音響装置に用いられる共振音検出方法であって、
前記音響装置に接続されているスピーカに流れる電流の高調波歪みを測定する測定工程と、
前記測定された高調波歪みの周波数特性から共振音が発生する周波数帯を検出する周波数検出工程と、
を含むことを特徴とする共振音検出方法。
【請求項９】
接続されているスピーカに流れる電流の高調波歪みを測定する測定手段を備えた音響装置のコンピュータに、
前記測定手段を制御させて、前記スピーカに流れる電流の高調波歪みを測定させ、
前記測定された高調波歪みの周波数特性から共振音が発生する周波数帯を検出させる
ことを特徴とする共振音検出プログラム。
【請求項１０】
請求項９に記載の共振音検出プログラムを、コンピュータに読み取り可能に記録されたことを特徴とする記録媒体。
【発明の詳細な説明】
【技術分野】
【０００１】
本発明は、例えば、自動車のドアなどの構造物に取り付けられる音響装置、当該音響装置に接続されたスピーカを振動させる際に発生するビリ音（共振音）を検出する共振音検出方法、共振音検出プログラム及び当該共振音検出プログラムを、コンピュータに読み取り可能に記録された記録媒体に関するものである。
【背景技術】
【０００２】
上述した従来のスピーカが接続された音響装置は、例えば自動車のドアなどの構造物にスピーカが取り付けられている。このとき、スピーカからの音量を大きくしたり、スピーカの構造物に対するネジ止めが緩かったりすると、構造物がスピーカの振動と共振してしまいビリ音（共振音）が発生してしまう、という問題点があった。そこで、この問題点を解決するため、従来はスピーカの振動と共振している構造物の部分を探して、その部分に防振材を貼り付けて、構造物の共振を防止することにより、ビリ音を低減させることが考えられていた（例えば特許文献１）。
【０００３】
しかしながら、従来の防振材を貼り付ける方法では、共振している部分を探す必要があり、時間と労力を非常に要してしまう、という問題があった。
【先行技術文献】
【特許文献】
【０００４】
【特許文献１】特開平９−３７３７１号公報
【発明の概要】
【発明が解決しようとする課題】
【０００５】
本発明は、このような問題点に対処することを課題の一例とするものである。即ち、本発明は、例えば、ビリ音（共振音）が発生する周波数帯を検出することができる音響装置、共振音検出方法、共振音検出プログラム及び共振音検出プログラムを記録した媒体を提供することを目的としている。
【課題を解決するための手段】
【０００６】
上記課題を解決するために、請求項１に記載の音響装置は、接続されているスピーカに流れる電流の高調波歪みを測定する測定手段と、前記測定された高調波歪みの周波数特性から共振音が発生する周波数帯を検出する周波数帯検出手段と、を備えたことを特徴としている。
【０００７】
請求項８に記載の共振音検出方法は、音響装置に用いられる共振音検出方法であって、前記音響装置に接続されているスピーカに流れる電流の高調波歪みを測定する測定工程と、前記測定された高調波歪みの周波数特性から共振音が発生する周波数帯を検出する周波数検出工程と、を含むことを特徴としている。
【０００８】
請求項９に記載の共振音検出プログラムは、接続されているスピーカに流れる電流の高調波歪みを測定する測定手段を備えた音響装置のコンピュータに、前記測定手段を制御させて、前記スピーカに流れる電流の高調波歪みを測定させ、前記測定された高調波歪みの周波数特性から共振音が発生する周波数帯を検出させることを特徴としている。
【図面の簡単な説明】
【０００９】
【図１】本発明の一実施例にかかる音響装置を示すブロック図である。
【図２】図１に示すスピーカの設置位置を説明するための図である。
【図３】ネジをしっかり締めてスピーカをドアに取り付けた場合のスピーカのアドミタンス及びスピーカに流れる電流の２次、３次歪みを示すグラフである。
【図４】ネジを少し緩めてスピーカをドアに取り付けた場合のスピーカのアドミタンス及びスピーカに流れる電流の２次、３次歪みを示すグラフである。
【図５】ネジを少し緩めてスピーカをドアに取り付けた場合のスピーカのアドミタンス及びスピーカに流れる電流の２次、３次歪みを示すグラフである。
【図６】ネジをかなり緩めてスピーカをドアに取り付けた場合のスピーカのアドミタンス及びスピーカに流れる電流の２次、３次歪みを示すグラフである。
【図７】制御部の共振音低減処理手順を示すフローチャートである。
【発明を実施するための形態】
【００１０】
以下、本発明の一実施形態にかかる音響装置を説明する。本発明者は、共振音を低減させるべく鋭意探求した結果、ビリ音（共振音）が発生する周波数帯域ではスピーカのアドミタンス、スピーカに流れる電流の高調波歪みに乱れが生じることに着目した。本発明の一実施形態にかかる音響装置は、測定手段が、スピーカに流れる電流の高調波歪みを測定し、周波数帯検出手段が、測定された高調波歪みの周波数特性から共振音が発生する周波数帯を検出し、減衰手段が、スピーカにより再生される再生信号のうち周波数帯検出手段により検出された周波数帯成分を減衰させる。このため、ビリ音などの共振音が発生する周波数帯成分が減衰されるため、スピーカの振動と共振している構造物の部分を探さなくてもビリ音を低減することができ、簡単にビリ音の発生を低減することができる。
【００１１】
また、測定手段が、スピーカのアドミタンスを測定し、周波数帯検出手段が、測定されたアドミタンス及び高調波歪みの双方の周波数特性から共振音が発生する周波数帯を検出するようにしてもよい。これにより、より正確に共振音が発生する周波数帯を検出することができる。
【００１２】
また、減衰手段が、周波数帯検出手段により検出された周波数帯成分を除去する帯域除去フィルタから構成されるようにしてもよい。これにより、共振音が発生する周波数帯を確実に除去して、より確実に共振音が発生する周波数帯を低減させて、共振音の発生を防止することができる。
【００１３】
また、測定手段が、切替手段により測定用抵抗がスピーカに直列接続されているときに、当該測定用抵抗に流れる電流に基づいて測定を行うようにしてもよい。これにより、測定しないときは、測定用抵抗をスピーカに直列接続しなくても良くなるため、当該測定用抵抗による音質の劣化を防ぐことができる。
【００１４】
また、本発明の一実施形態にかかる共振音減衰方法は、スピーカに流れる電流の高調波歪みを測定し、測定された高調波歪みの周波数特性から共振音が発生する周波数帯を検出し、スピーカにより再生される再生信号のうち検出された周波数帯成分を減衰させる。このため、ビリ音などの共振音が発生する周波数帯成分が減衰されるため、スピーカの振動と共振している構造物の部分を探さなくてもビリ音を低減することができ、簡単にビリ音の発生を低減することができる。
【００１５】
また、本発明の一実施形態にかかる共振音低減プログラムは、接続されているスピーカに流れる電流の高調波歪みを測定する測定手段を備えた音響装置のコンピュータに、測定手段を制御させて、スピーカに流れる電流の高調波歪みを測定させ、測定された高調波歪みの周波数特性から共振音が発生する周波数帯を検出させ、スピーカにより再生される再生信号のうち検出された周波数帯成分を減衰させる。このため、ビリ音などの共振音が発生する周波数帯成分が減衰されるため、スピーカの振動と共振している構造物の部分を探さなくてもビリ音を低減することができ、簡単にビリ音の発生を低減することができる。
【００１６】
また、上述した共振音低減プログラムをコンピュータに読み取り可能な記録媒体に格納してもよい。このようにすることにより、当該プログラムを装置に組み込む以外に単体でも流通させることができ、バージョンアップ等も簡易に行える。
【実施例】
【００１７】
以下、本発明の音響装置の一実施例を図１及び図２に基づいて説明する。図１に示す音響装置１は、例えば車両に搭載され、車両のドア９に取り付けられたスピーカ２が接続されている。同図に示すように、音響装置１は、スピーカ２に入力する信号を増幅するアンプ部３と、スピーカ２のアドミタンス、その２次、３次歪みを測定するための測定用抵抗Ｒと、測定用抵抗Ｒをスピーカ２に直列接続させた状態とスピーカ２に直列接続させない状態との間で切り替える切替手段としての切替部４と、切替部４を駆動する切替駆動部５と、測定用抵抗Ｒに生じる電圧降下からアドミタンス、２次、３次歪みを測定する測定手段としての周波数特性測定部６と、音響装置１全体の制御を司るコンピュータから構成される制御部７と、再生信号の信号処理を行うコンピュータから構成されるＤＳＰ部８と、を備えている。
【００１８】
上記スピーカ２は、図２に示すように、本体部２１と、スピーカ２を車両のドア９に取り付けるための円環状の取付フランジ２２と、を備えている。上記本体部２１は、振動板、エッジ、ボイスコイルが巻き回されたボイスコイルボビン、ダンパー等を有する図示しない振動体と、この振動体の振動板を振動させて音を生じさせる、磁石、プレート、ヨーク等を有する図示しない磁気回路と、を備えている。スピーカ２は、振動板に取り付けられたボイスコイルに音声電流が供給されることで、当該ボイスコイルに電磁気力（ローレンツ力）が作用して、振動板が振動し、音を発する。
【００１９】
スピーカ２が取り付けられるドア９は、例えば、板金などで構成されたアウタパネル９１及びインナパネル９２と、スピーカ２をドア９に取り付けるための取付部９３と、合成樹脂で構成されたドアトリム９４と、を備えている。アウタパネル９１は車外側に配置され、インナパネル９２は客室側に配置され、互いに外縁部が重ねられて、その中央部が互いに間隔をあけた状態で互いに取り付けられている。
【００２０】
上記インナパネル９２には、上記スピーカ２を収容するための貫通孔９２ａなどが設けられている。上記取付部９３は、インナパネル９２に設けた貫通孔９２ａの周縁に沿った円環状に設けられ、貫通孔９２ａの周縁にネジ止めされている。この円環状の取付部９３にスピーカ２の取付フランジ２２を重ねる。このとき、インナパネル９２の貫通孔９２ａを通して、スピーカ２の本体部２１をパネル９１、９２間に収容させた状態で、互いに重ねられた取付フランジ２２及び取付部９３をネジ止めすることにより、スピーカ２がドア９に取り付けられる。その後、上記ドアトリム９４が、インナパネル９２に重ねられて、固定される。
【００２１】
次に、音響装置１の構成の続きを説明する前に、本発明の共振音低減方法の原理を図３〜図６を参照して以下説明する。本発明者は、ネジをしっかり締めてスピーカ２をドア９に取り付けた場合、ネジを少し緩めてスピーカ２をドア９に取り付けた結果、中レベルのビリ音（共振音）が発生している場合、ネジをかなり緩めてスピーカ２をドア９に取り付けた結果、特大レベルのビリ音が発生している場合、それぞれの２０Ｈｚ〜２００００Ｈｚの周波数帯におけるスピーカ２のアドミタンス及びスピーカ２に流れる電流の高調波歪みとしての２次、３次歪みを測定した。結果を図３〜図６に示す。
【００２２】
なお、図３〜図６においてアドミタンスは、スピーカ２に例えば正弦波からなる測定用信号を供給したときにスピーカ２に流れる電流から求めることができる。上記２次歪みは、スピーカ２に流れる電流に乗っている２次成分であり、スピーカ２に流れる電流から測定用信号の２倍の周波数成分を抽出して求めている。即ち、図３〜図６において、例えば１００Ｈｚに対応してプロットされた２次歪みは、１００Ｈｚの測定用信号をスピーカ２に供給して、スピーカ２を１００Ｈｚで振動させたときのスピーカ２に流れる電流から２００Ｈｚ成分を抽出して１００Ｈｚのときの２次歪みとしてプロットしている。上記３次歪みは、スピーカ２に流れる電流に乗っている３次成分であり、スピーカ２に流れる電流から測定用信号の３倍の周波数成分を抽出してプロットしている。即ち、図３〜図６において、例えば１００Ｈｚに対応してプロットされた３次歪みは、１００Ｈｚの測定用信号をスピーカ２に供給してスピーカ２を１００Ｈｚで振動させたときのスピーカ２に流れる電流から３００Ｈｚ成分を抽出して１００Ｈｚのときの３次歪みとしてプロットしている。
【００２３】
図３に示すように、ネジがしっかり締められているものであっても、ビリ音は発生しないもののドア９などの回りの構造物が共振する周波数では、一点鎖線で囲むようにアドミタンス及びスピーカ２に流れる電流の２次、３次歪みが暴れることが分かった。そして、図４〜図６中の二点鎖線で囲むように、ビリ音が発生するとアドミタンス、２次、３次歪みの暴れが大きくなり、ビリ音が大きくなるに従ってアドミタンス、２次、３次歪みの暴れも大きくなることが分かった。そこで、本実施例の音響装置１においては、例えばスピーカ２の設置時などにスピーカ２のアドミタンス、２次、３次歪みの周波数特性を求め、その周波数特性が大きく暴れる帯域をビリ音が発生する帯域であると特定し、以降、再生信号をスピーカ２で再生する際に、再生信号から特定した帯域をカットしてスピーカ２に供給させるように構成されている。
【００２４】
次に、本実施例の音響装置１の構成について話を戻すと、アンプ部３は、後述する制御部７及びＤＳＰ部８から出力される測定用信号及び再生信号が入力され、これら信号を増幅してスピーカ２に入力する。上記測定用抵抗Ｒは、アドミタンス、２次、３次歪みを求めるため、スピーカ２に流れる電流を測定するための抵抗である。上記切替部４は、例えばリレーなどから構成されていて、アンプ部３に接続された端子Ｔ１と測定用抵抗Ｒを介してスピーカ２の＋側に接続された端子Ｔ２１と、測定用抵抗Ｒを介さずにスピーカ２の＋側に直接接続された端子Ｔ２２と、端子Ｔ１の接続を端子Ｔ２１及びＴ２２の間で切り替える接点Ｓと、を備えている。この切替部４においては、接点Ｓが端子Ｔ２２に接続されると、スピーカ２に直列に測定用抵抗Ｒが接続され、接点Ｓが端子Ｔ２１に接続されると、測定用抵抗Ｒがスピーカ２に直列接続されなくなる。切替駆動部５は、制御部７からの切替制御信号に応じて切替部４を切り替える。
【００２５】
上記周波数特性測定部６は、測定用抵抗Ｒがスピーカ２に直列接続されたとき、測定用抵抗Ｒに生じる電圧降下を測定して、測定した電圧降下からスピーカ２のアドミタンス及び２次、３次歪みの周波数特性を測定し、その結果を制御部７に対して出力する。具体的には、制御部７から例えば１００Ｈｚ〜１００００Ｈｚ（スピーカ２の共振周波数は含めないようにしている）の間で周波数がスイープする測定用信号をアンプ部３に対して出力している間に、周波数特性測定部６が、各周波数における測定用抵抗Ｒに生じる電圧降下を測定する。測定用信号の振幅を一定にすれば、この電圧降下はスピーカ２に流れる電流に応じた値であり、スピーカ２のアドミタンスに応じた値であるので、周波数特性測定部６は、測定用抵抗Ｒに生じる電圧降下をアドミタンスとしている。また、周波数特性測定部６は、測定したスピーカ２に流れる電流に応じた電圧降下の周波数特性からフィルタなどを用いて２次成分、３次成分のみをそれぞれ抽出して、２次歪み、３次歪みの周波数特性を求める。
【００２６】
次に、制御部７は、周波数帯検出手段として働き、周波数特性測定部６が測定したアドミタンス、２次、３次歪みの周波数特性の暴れが大きい周波数帯域をビリ音が発生する帯域として検出する。帯域の検出方法としては、例えばアドミタンス、２次、３次歪みの周波数特性をそれぞれ微分して、周波数に対するアドミタンス、２次、３次歪みの傾き（変化率）を求める。例えば、狭い周波数帯で、傾きが＋になったり、−になったりを交互に繰り返す帯域を暴れが生じている帯域として検出することが考えられる。このようにしてビリ音が発生する領域を検出すると、図３〜図６に示す例では、二点鎖線で囲まれた帯域がビリ音が発生する帯域として検出される。
【００２７】
制御部７は、ビリ音が発生する帯域を検出すると、それをＤＳＰ部８に供給する。ビリ音が発生する帯域が供給されると、ＤＰＳ部８は、図示しないメモリ内にそのビリ音が発生する帯域を記憶する。以降、ＤＳＰ部８は、減衰手段として機能し、再生信号が入力されると、その再生信号からビリ音が発生する帯域にバンドデッドフィルタ（帯域除去フィルタ）などのイコライザをかけて、ビリ音が発生する帯域を減衰させてアンプ部３に出力する。
【００２８】
上記概略で説明した音響装置１の動作の詳細について図７を参照して説明する。図７は、制御部７の共振音低減処理手順を示すフローチャートである。例えば、音響装置１をドア９に取り付けた後、図示しない操作部が操作されると、制御部７は共振音低減処理を開始する。
【００２９】
共振音低減処理において、制御部７は、まず切替駆動部５を制御して切替部４の接点Ｓを端子Ｔ２２に接続させる（ステップＳ１）。これにより、測定用抵抗Ｒがスピーカ２に直列接続される。次に、制御部７は、例えば１００Ｈｚ〜１００００Ｈｚの間で周波数がスイープする測定用信号をアンプ部３に供給すると共に周波数特性測定部６を制御してスピーカ２のアドミタンス、その２次、３次歪みを測定させる周波数特性測定処理（工程）を行う（ステップＳ２）。なお、制御部７は、アドミタンス、その２次、３次歪みを測定するために、測定用信号のスイープを三回行う。その後、周波数特性測定部６からアドミタンス、その２次、３次歪みの周波数特性が供給されるのを待って（ステップＳ３でＹ）、アドミタンス、その２次、３次歪みの周波数特性からビリ音が発生する周波数帯域を検出する周波数帯域検出処理を行う（ステップＳ４）。
【００３０】
その後、制御部７は、検出したビリ音が発生する周波数帯域をＤＳＰ部８に対して供給した後（ステップＳ５）、切替駆動部５を制御して切替部４の接点Ｓを端子Ｔ２１に接続させて（ステップＳ６）、処理を終了する。接点Ｓが端子Ｔ２１に切り替えられると、測定用抵抗Ｒがスピーカ２に直列接続されなくなる。ＤＳＰ部８は、上述したようにビリ音が発生する帯域が供給されると、図示しないメモリ内にそのビリ音が発生する帯域を記憶し、以降、再生信号が入力されると、その再生信号からビリ音が発生する帯域にバンドデッドフィルタ（帯域除去フィルタ）などのイコライザをかけて、ビリ音が発生する帯域を減衰させてアンプ部３に出力する。
【００３１】
上述した音響装置１によれば、周波数特性測定部６が、スピーカ２の２次、３次歪み周波数特性を測定し、制御部７が、測定された２次、３次歪みの周波数特性からビリ音（共振音）が発生する周波数帯を検出し、ＤＳＰ部８が、スピーカ２により再生される再生信号のうち制御部７により検出された周波数帯成分を減衰させる。このため、ビリ音などの共振音が発生する周波数帯成分が減衰されるため、スピーカ２の振動と共振している構造物（ドア９）の部分を探さなくてもビリ音を低減することができ、簡単にビリ音の発生を低減することができる。
【００３２】
また、上述した音響装置１によれば、周波数特性測定部６が、スピーカ２のアドミタンスの周波数特性も測定し、制御部７が、測定されたアドミタンス及び２次、３次歪みの双方の周波数特性からビリ音が発生する周波数帯を検出する。このため、より正確にビリ音が発生する周波数帯を検出することができる。
【００３３】
また、上述した音響装置１によれば、ＤＳＰ部８が、バンドデッドフィルタの機能を有するイコライザをかけるので、ビリ音が発生する周波数帯を確実に除去して、より確実にビリ音が発生する周波数帯を低減させて、共振音の発生を防止することができる。
【００３４】
なお、上述した実施例によれば、音響装置１は車両に搭載されたものであったが、本発明はこれに限ったものではない。例えば、住宅や店舗などの建物の壁などの構造物にスピーカ２が取り付けられていればビリ音が生じるので、その場合にも本発明を適用することができる。
【００３５】
また、上述した実施例によれば、周波数特性測定部６がスピーカ２のアドミタンスも測定していたが、本発明はこれに限ったものではない。例えば、スピーカ２に流れる電流の２次歪みの周波数特性だけを測定してもよいし、２次及び３次歪みの周波数特性だけを測定して、ビリ音の発生する周波数帯域を検出するようにしてもよい。
【００３６】
また、上述した実施例によれば、周波数特性測定部６が２次、３次歪みを測定していたが、本発明はこれに限ったものではない。周波数特性測定部６としては高調波歪みを測定するものであればよく、２次、３次以外の高調波歪みを測定するようにしてもよい。
【００３７】
また、上述した実施例によれば、ＤＳＰ部８がバンドデッドフィルタのイコライザを掛けていたが、本発明はこれに限ったものではない。例えば、ディップタイプのイコライザを掛けてもよい。
【００３８】
また、上述した実施例によれば、ＤＳＰ部８によりビリ音が発生する周波数帯を低減するバンドデッドフィルタのイコライザを自動的に掛けていたが、本発明はこれに限ったものではない。例えば、制御部７が検出したビリ音が発生する周波数帯を図示しない表示部に表示させるようにして、車の組み立て作業員により表示させた周波数帯を除去するバンドデットフィルタをＤＳＰ部８の前や、ＤＳＰ部８とアンプ部３との間に手動で挿入するようにしてもよい。
【００３９】
前述した実施例によれば、以下の音響装置１、共振音減衰方法、共振音低減プログラムが得られる。
【００４０】
（付記１）  接続されているスピーカ２に流れる電流の高調波歪みを測定する周波数特性測定部６と、
前記測定された高調波歪みの周波数特性から共振音が発生する周波数帯を検出する制御部７と、
前記スピーカ２により再生される再生信号のうち前記制御部７により検出された周波数帯成分を減衰させるＤＳＰ部８と、
を備えたことを特徴とする音響装置１。
【００４１】
（付記２）  音響装置１に用いられる共振音低減方法であって、音響装置１に接続されているスピーカ２に流れる電流の高調波歪みを測定する測定工程と、前記測定された高調波歪みの周波数特性から共振音が発生する周波数帯を検出する周波数検出工程と、前記スピーカ２により再生される再生信号のうち前記周波数検出工程により検出された周波数帯成分を減衰させる減衰工程と、を備えたことを特徴とする共振音減衰方法。
【００４２】
（付記３）  接続されているスピーカ２に流れる電流の高調波歪みを測定する周波数特性測定部６を備えた音響装置１の制御部７に、
周波数特性測定部６を制御させて、スピーカ２に流れる電流の高調波歪みを測定させ、
測定された高調波歪みの周波数特性から共振音が発生する周波数帯を検出させ、
前記音響装置１のＤＳＰ部８に、スピーカ２により再生される再生信号のうち検出された周波数帯成分を減衰させる
ことを特徴とする共振音低減プログラム。
【００４３】
付記１、２、３によれば、ビリ音などの共振音が発生する周波数帯成分が減衰されるため、スピーカ２の振動と共振している構造物の部分を探さなくてもビリ音を低減することができ、簡単にビリ音の発生を低減することができる。
【００４４】
また、前述した実施例は本発明の代表的な形態を示したに過ぎず、本発明は、実施形態に限定されるものではない。即ち、本発明の骨子を逸脱しない範囲で種々変形して実施することができる。
【符号の説明】
【００４５】
１  音響装置
２  スピーカ
４  切替部（切替手段）
６  周波数特性測定部（測定手段）
７  制御部（周波数帯検出手段）
８  ＤＳＰ部（減衰手段）
Ｒ  測定用抵抗
【図１】
0005946057.tif 000002
【図２】
0005946057.tif 000003
【図３】
0005946057.tif 000004
【図４】
0005946057.tif 000005
【図５】
0005946057.tif 000006
【図６】
0005946057.tif 000007
【図７】
0005946057.tif 000008